(57)【要約】【課題】複数のストラップを取り付け得るストラップホルダーであって、装飾性および機能性に優れたストラップホルダーを提供すること。【解決手段】本発明のストラップホルダーは、シャックル部材と、少なくとも２つの貫通孔を備えるストッパー部材とからなり、該シャックル部材の２つの脚部が該ストッパー部材のいずれか２つの貫通孔にそれぞれ挿通され、該ストッパー部材が該脚部に沿って摺動され得、該ストッパー部材が該シャックル部材から離脱せず、そして該脚部の側面と、該脚部が挿通される該貫通孔の側面との間に、少なくともストラップ取り付け紐のループが挿通され得る間隙を生じ得る。【選択図】図１
2011055871.tif 000002
【特許請求の範囲】
【請求項１】
シャックル部材と、少なくとも２つの貫通孔を備えるストッパー部材とからなるストラップホルダーであって、該シャックル部材の２つの脚部が該ストッパー部材のいずれか２つの貫通孔にそれぞれ挿通され、該ストッパー部材が該脚部に沿って摺動され得、該ストッパー部材が該シャックル部材から離脱せず、そして該脚部の側面と、該脚部が挿通される該貫通孔の側面との間に、少なくともストラップ取り付け紐のループが挿通され得る間隙を生じ得る、ストラップホルダー。
【請求項２】
前記シャックル部材の形状がＵ字形である、請求項１に記載のストラップホルダー。
【請求項３】
前記シャックル部材の脚部の断面の形状が円形である、請求項１または２のいずれかの項に記載のストラップホルダー。
【請求項４】
前記シャックル部材が金属製である、請求項１から３のいずれかの項に記載のストラップホルダー。
【請求項５】
前記ストッパー部材が金属製である、請求項１から４のいずれかの項に記載のストラップホルダー。
【請求項６】
前記シャックル部材の脚部が球状の脚部端を有し、そして該脚部端が前記ストッパー部材の貫通孔の孔径よりも大きい径を有する、請求項１から５のいずれかの項に記載のストラップホルダー。
【請求項７】
前記間隙がストラップ取り付け紐の直径よりも１〜２ｍｍ広い幅である、請求項１から６に記載のストラップホルダー。
【請求項８】
前記シャックル部材の脚部の脚部端を除く位置に括れが設けられている、請求項１から７のいずれかの項に記載のストラップホルダー。
【請求項９】
請求項１から８のいずれかの項に記載のストラップホルダーにストラップを取り付ける方法であって、
前記シャックル部材の少なくとも一方の脚部の側面と、該脚部が挿通されている前記ストッパー部材の貫通孔の側面との間に、ストラップ取り付け紐のループが挿通され得る間隙を生じさせる工程、
該ストラップ取り付け紐のループを該間隙に前記シャックル部材の頭部側から脚部端側へ挿通させる工程、
該間隙に挿通させた該ループの中に前記シャックル部材の脚部端を挿通させる工程、および
該シャックル部材の脚部端を挿通させた該ループを、該脚部の側面と、該脚部が挿通されている該貫通孔の側面との間から該シャックル部材の頭部側に向かって引き抜く工程を含む、方法。
【発明の詳細な説明】
【技術分野】
【０００１】
本発明は、ストラップホルダーに関する。
【背景技術】
【０００２】
携帯電話機、携帯ゲーム機、携帯音楽プレーヤー、カメラなどの携帯型電子機器が普及し、これらの機器の携帯時の落下防止、装飾、識別などを目的としてこれらの機器にストラップを取り付けることが一般的に行われている。
【０００３】
これらの機器へのストラップの取り付けは、ストラップに取り付けられたストラップ取り付け紐をこれらの機器のストラップホールに結着することにより行われる。ストラップホールは、通常単一のストラップ取り付け紐の結着を許容する大きさしか有しないため、装飾などの目的から複数のストラップをこれらの機器に取り付けることは困難である。
【０００４】
複数のストラップをこれらの機器に取り付けるために、ストラップホルダーをこれらの機器に形成しあるいは取り付けた上で、複数のストラップをストラップホルダーに取り付けることがある。このため、ストラップホルダーは、複数のストラップ取り付け紐の結着を許容する大きさを必要とする。
【０００５】
しかし、現在のストラップホルダーは、ループ状の紐などがほとんどであり、装飾性や機能性が十分とはいえない。
【発明の概要】
【発明が解決しようとする課題】
【０００６】
本発明は、複数のストラップを取り付け得るストラップホルダーであって、装飾性および機能性に優れたストラップホルダーを提供することを目的とする。
【課題を解決するための手段】
【０００７】
本発明のストラップホルダーは、シャックル部材と、少なくとも２つの貫通孔を備えるストッパー部材とからなり、該シャックル部材の２つの脚部が該ストッパー部材のいずれか２つの貫通孔にそれぞれ挿通され、該ストッパー部材が該脚部に沿って摺動され得、該ストッパー部材が該シャックル部材から離脱せず、そして該脚部の側面と、該脚部が挿通される該貫通孔の側面との間に、少なくともストラップ取り付け紐のループが挿通され得る間隙を生じ得る。
【０００８】
本発明の一実施態様では、上記シャックル部材の形状はＵ字形である。
【０００９】
本発明の一実施態様では、上記シャックル部材の脚部の断面の形状は円形である。
【００１０】
本発明の一実施態様では、上記シャックル部材は金属製である。
【００１１】
本発明の一実施態様では、上記ストッパー部材は金属製である。
【００１２】
本発明の一実施態様では、上記シャックル部材の脚部は球状の脚部端を有し、そして該脚部端は上記ストッパー部材の貫通孔の孔径よりも大きい径を有する。
【００１３】
本発明の一実施態様では、上記間隙はストラップ取り付け紐の直径よりも１〜２ｍｍ広い幅である。
【００１４】
本発明の一実施態様では、上記シャックル部材の脚部の脚部端を除く位置に括れが設けられている。
【００１５】
本発明のストラップホルダーにストラップを取り付ける方法は、上記シャックル部材の少なくとも一方の脚部の側面と、該脚部が挿通されている上記ストッパー部材の貫通孔の側面との間に、ストラップ取り付け紐のループが挿通され得る間隙を生じさせる工程、該ストラップ取り付け紐のループを該間隙に上記シャックル部材の頭部側から脚部端側へ挿通させる工程、該間隙に挿通させた該ループの中に上記シャックル部材の脚部端を挿通させる工程、および該シャックル部材の脚部端を挿通させた該ループを、該脚部の側面と、該脚部が挿通されている該貫通孔の側面との間から該シャックル部材の頭部側に向かって引き抜く工程を含む。
【発明の効果】
【００１６】
本発明のストラップホルダーは、複数のストラップを容易に取り付けることができる。本発明のストラップホルダーは、非常に単純な形状を有するが、装飾性および機能性に優れる。
【図面の簡単な説明】
【００１７】
【図１】本発明のストラップホルダーの一実施態様の概略斜視図である。
【図２】本発明のストラップホルダーの他の実施態様の概略斜視図である。
【図３】本発明のストラップホルダーにストラップを取り付ける方法を説明するための概略図である。
【発明を実施するための形態】
【００１８】
以下、本発明を、図面を参照しながら詳細に説明する。
【００１９】
図１に、本発明のストラップホルダーの一実施態様の概略斜視図を示す。
【００２０】
図１に示すストラップホルダー１０は、Ｕ字形のシャックル部材２０と方円形の面を有する平板形のストッパー部材３０とからなる。シャックル部材２０は、２つの平行な円柱状の脚部２１と湾曲した部分である頭部とからなる。各々の脚部２１は末端に球状の脚部端２２を有する。ストッパー部材３０は、２つの円柱状の貫通孔３１を備える。２つの脚部２１は２つの貫通孔３１にそれぞれ挿通されている。いずれの脚部２１も、その脚部２１が挿通されている貫通孔３１の孔径よりも小さい一定の直径を有するため、ストッパー部材３０は脚部２１に沿って摺動され得る。しかし、脚部２１は、その脚部２１が挿通されている貫通孔３１の孔径よりも大きい直径を有する球状の脚部端２２を有するため、ストッパー部材３０はシャックル部材２０から離脱しない。脚部２１の側面と、その脚部２１が挿通されている貫通孔３１の側面との間には、少なくともストラップ取り付け紐のループが挿通され得る間隙を生じ得る。
【００２１】
本明細書で、シャックル部材２０の断面、脚部２１または脚部端２２について「径」といい、貫通孔３１について「孔径」という場合は、特に示さない限り、シャックル部材２０の脚部２１が貫通孔３１に挿通され得る位置関係において、任意の方向におけるシャックル部材２０の断面、脚部２１または脚部端２２の「径」と貫通孔３１の「孔径」とをそれぞれ意味する。
【００２２】
以下、各部材について詳細に説明する。
【００２３】
シャックル部材２０の形状は特に限定されない。例えば、Ｕ字形、半円形、オタフク形、Ｖ字形、矩形、三角形、四角形、五角形、多角形、ヒネリ形が挙げられる。例えば、図１ならびに図２（ｃ）および（ｄ）には、シャックル部材２０の形状がＵ字形である一実施態様を示す。図２（ａ）および（ｂ）には、シャックル部材２０の形状がそれぞれＶ字形および四角形である他の実施態様を示す。三角形、四角形、五角形、多角形などの形状では、２つの脚部を形成するために、１辺に開放口を備える必要がある。開放口を挟む２つの末端が２つの脚部のそれぞれの脚部端を形成する。
【００２４】
シャックル部材２０の大きさは、縦、横および厚みの３方向の寸法が最大で２〜３ｃｍ以内になることが好ましいが、特に限定されない。例えば、キーホルダー程度の大きさが挙げられる。図１に示すＵ字形のシャックル部材２０の場合、例えば、大きさが縦：約３ｃｍ、横：約２ｃｍおよび厚み：約４ｍｍであり得る。
【００２５】
シャックル部材２０の材料は、一般的にキーホルダーに用いられるものと同様の材料が好ましいが、特に限定されない。例えば、金属、プラスチック、ゴム、木が挙げられる。強度の観点から金属が好ましい。金属としては、例えば、鉄、銀、アルミニウム、真鍮、ステンレス、その他各種合金が挙げられる。必要に応じて、金、ニッケル、クロムなどのメッキを施すことが好ましい。シャックル部材２０の材料はシャックル部材２０の全体にわたって同じであっても異なっていてもよい。
【００２６】
シャックル部材２０の断面の形状は、少なくとも２つの貫通孔３１にシャックル部材２０の２つの脚部２１がそれぞれ挿通され、ストッパー部材３０が脚部２１に沿って摺動され得る限り、特に限定されない。例えば、円形、楕円系、三角形、四角形、五角形、多角形が挙げられる。シャックル部材２０の断面の形状はシャックル部材２０の全長にわたって同じであっても異なっていてもよい。例えば、図１および図２（ａ）〜（ｄ）には、シャックル部材２０の断面の形状が全長にわたって円形である実施態様を示す。
【００２７】
シャックル部材２０の断面の径は、少なくとも２つの貫通孔３１にシャックル部材２０の２つの脚部２１がそれぞれ挿通され、ストッパー部材３０が脚部２１に沿って摺動され得る限り、特に限定されない。約３〜５ｍｍが好ましく、シャックル部材２０の全長にわたって同じであっても異なっていてもよい。例えば、図２（ａ）および（ｂ）には、シャックル部材２０の円形の断面の直径が全長にわたって均一である実施態様を示す。
【００２８】
シャックル部材２０の２つの脚部２１の形状は、２つの脚部２１がストッパー部材３０の２つの貫通孔３１にそれぞれ挿通され、ストッパー部材３０が脚部２１に沿って摺動され得る限り、互いに対称であっても非対称であってもよい。例えば、図１および図２（ａ）〜（ｄ）には、シャックル部材２０の２つの脚部２１の形状が対称である実施態様を示す。
【００２９】
シャックル部材２０の脚部２１には、以下で詳述するように、特殊な形状の脚部端が設けられていてもよい。例えば、図１および図２（ｃ）には、シャックル部材２０の脚部２１に球状の脚部端２２が設けられている実施態様を示す。
【００３０】
シャックル部材２０の脚部２１の脚部端を除く位置には、以下で詳述するように、括れが設けられていてもよい。例えば、図２（ｃ）および（ｄ）には、シャックル部材２０の脚部２１の脚部端を除く位置に括れ２３が設けられている実施態様を示す。
【００３１】
ストッパー部材３０の形状は特に限定されない。例えば、方形、円形または方円形の面を有する平板形、直方体形、円柱形が挙げられる。例えば、図１および図２（ａ）〜（ｄ）には、ストッパー部材３０の形状が方円形の面を有する平板形である実施態様を示す。
【００３２】
ストッパー部材３０の大きさは、シャックル部材２０の２つの脚部２１が挿通される少なくとも２つの貫通孔３１を設けることができる限り、特に限定されない。図１に示す方円形の面を有する平板形のストッパー部材３０の場合、例えば、縦：約３.５ｃｍ、横：約１ｃｍおよび厚み：約１ｍｍであり得る。
【００３３】
ストッパー部材３０の材料は特に限定されない。例えば、金属、プラスチック、ゴム、木が挙げられる。強度の観点から金属が好ましい。金属としては、例えば、鉄、銀、アルミニウム、真鍮、ステンレス、その他各種合金が挙げられる。必要に応じて、金、ニッケル、クロムなどのメッキを施すことが好ましい。ストッパー部材３０の材料はシャックル部材２０と同じであっても異なっていてもよい。好ましくは、ストッパー部材３０の材料はシャックル部材２０と同じである。
【００３４】
ストッパー部材３０に設けられる貫通孔３１の数は、少なくとも２つあればよく、特に限定されない。例えば、図１および図２（ａ）〜（ｄ）には、ストッパー部材３０に設けられる貫通孔３１の数が２つである実施態様を示す。
【００３５】
ストッパー部材３０に設けられる貫通孔３１の位置は、少なくとも２つの貫通孔３１にシャックル部材２０の２つの脚部２１がそれぞれ挿通され、ストッパー部材３０が脚部２１に沿って摺動され得る限り、特に限定されない。
【００３６】
ストッパー部材３０に設けられる貫通孔３１の形状は、少なくとも２つの貫通孔３１にシャックル部材２０の２つの脚部２１がそれぞれ挿通され、ストッパー部材３０が脚部２１に沿って摺動され得る限り、特に限定されない。例えば、円柱状、直方体状、三角柱状が挙げられる。ストッパー部材３０に設けられる貫通孔３１の形状は、すべて同じであっても異なっていてもよい。例えば、図１および図２（ａ）〜（ｄ）には、ストッパー部材３０に設けられる２つの貫通孔３１の形状がともに円柱状である実施態様を示す。
【００３７】
ストッパー部材３０に設けられる貫通孔３１の孔径は、少なくとも２つの貫通孔３１にシャックル部材２０の２つの脚部２１がそれぞれ挿通され、ストッパー部材３０が脚部２１に沿って摺動され得る限り、特に限定されない。約５〜７ｍｍが好ましく、貫通孔３１の全長にわたって同じであっても異なっていてもよい。例えば、図１および図２（ａ）〜（ｄ）には、貫通孔３１が均一な孔径を有する実施態様を示す。
【００３８】
次に、シャックル部材２０の脚部２１とストッパー部材３０の貫通孔３１との関係について詳細に説明する。
【００３９】
シャックル部材２０の２つの脚部２１がストッパー部材３０の２つの貫通孔３１にそれぞれ挿通され、ストッパー部材３０が脚部２１に沿って摺動され得るようにするためには、いずれの脚部２１の径も、その脚部２１が挿通される貫通孔３１の孔径よりも小さくする必要がある。
【００４０】
ストッパー部材３０がシャックル部材２０から離脱しないようにするためには、以下に詳述するように、例えば、シャックル部材２０の脚部２１に、ストッパー部材３０のシャックル部材２０からの離脱を阻害する形状の脚部端２２を設ける必要が生じ、あるいは、脚部２１の径と、その脚部２１が挿通される貫通孔３１の孔径との差を、ストッパー部材３０のシャックル部材２０からの離脱を許容しない範囲で適切に設定する必要が生じる。
【００４１】
図１および図２（ｂ）〜（ｃ）に示す、２つの脚部２１が平行である実施態様では、ストッパー部材３０は、シャックル部材２０の脚部２１に沿って、脚部端２２と頭部との間において比較的広い範囲で摺動され得る。しかし、この場合には、ストッパー部材３０がシャックル部材２０から離脱しないようにするために、シャックル部材２０の脚部２１の末端に、その脚部２１が挿通されるストッパー部材３０の貫通孔３１の孔径よりも大きい直径を有する形状の脚部端を設ける必要が生じる。例えば、図１および図２（ｃ）には、シャックル部材２０の脚部２１に球状の脚部端２２が設けられている実施態様を示し、図２（ｂ）には、シャックル部材２０の脚部２１に、脚部２１の長手方向と垂直な軸を有する円柱状の脚部端２２が設けられている実施態様を示す。脚部端２２は、ストッパー部材３０がシャックル部材２０から離脱しない限り、２つの脚部２１のうち、いずれか一方のみに設けてもよい。
【００４２】
あるいは、ストッパー部材３０がシャックル部材２０から離脱しないようにするために、シャックル部材２０の脚部２１の脚部端を除く位置に括れを設け、ストッパー部材３０が、シャックル部材２０の脚部２１に沿って、括れにおいてのみ摺動され得るようにしてもよい。図２（ｄ）には、シャックル部材２０の脚部２１の脚部端を除く位置に括れ２３が設けられている実施態様を示す。括れ２３は、ストッパー部材３０がシャックル部材２０から離脱しない限り、２つの脚部２１のうち、いずれか一方のみに設けてもよい。
【００４３】
図２（ａ）に示す、２つの脚部２１が平行でない実施態様では、２つの脚部２１がストッパー部材３０の２つの貫通孔３１にそれぞれ挿通され、ストッパー部材３０が脚部２１に沿って摺動され得るようにするために、シャックル部材２０の脚部２１の直径を、その脚部２１が挿通されるストッパー部材３０の貫通孔３１の孔径よりも比較的小さく設定する必要が生じる。この場合の「径」および「孔径」とは、２つの貫通孔３１を結ぶ方向における脚部２１の「径」および貫通孔３１の「孔径」をそれぞれいう。ストッパー部材３０は、シャックル部材２０の脚部２１に沿って、脚部２１の直径と、その脚部２１が挿通されている貫通孔３１の孔径との差に応じて摺動され得る。しかし、この場合には、ストッパー部材３０がシャックル部材２０から離脱しないようにするために、シャックル部材２０の脚部２１に特殊な形状の脚部端２２を設ける必要はない。シャックル部材２０の２つの脚部２１が挿通される２つの貫通孔３１の間の距離、および脚部２１の直径と、その脚部２１が挿通される貫通孔３１の孔径との差を適切に設定することで、ストッパー部材３０がシャックル部材２０から離脱しないようにすることができる。
【００４４】
シャックル部材２０の脚部２１の側面と、その脚部２１が挿通されるストッパー部材３０の貫通孔３１の側面との間に、少なくともストラップ取り付け紐のループが挿通され得る間隙を生じさせるためには、脚部２１の最小径と、その脚部２１が挿通される貫通孔３１の最大孔径との差を適切に設定する必要が生じる。代表的には、脚部２１に括れ２３を設けてもよい。例えば、図２（ｃ）および（ｄ）には、シャックル部材２０の脚部２１に括れ２３が設けられている実施態様を示す。脚部２１に設けられる括れ２３の位置は脚部端でなければ特に限定されないが、ストラップホルダーにストラップを容易に取り付ける観点から、脚部端２２に近接した位置が好ましい。
【００４５】
少なくともストラップ取り付け紐のループが挿通され得る間隙は、少なくとも１つの脚部２１の側面と、その脚部２１が挿通される貫通孔３１の側面との間に生じ得ればよい。また、ストッパー部材３０がシャックル部材２０から離脱しない範囲で、ストラップ取り付け紐の直径よりも広い幅であればよいが、ストラップホルダーにストラップを容易に取り付ける観点から、ストラップ取り付け紐の直径よりも約１〜２ｍｍ広い幅であることが好ましい。
【００４６】
本発明のストラップホルダー１０を製造する方法としては、例えば、シャックル部材２０とストッパー部材３０とを別々に製造し、シャックル部材２０の２つの脚部をストッパー部材３０の少なくとも２つの貫通孔にそれぞれ挿通させ、次いでシャックル部材２０の脚部２１に、その脚部２１が挿通されている貫通孔３１の孔径よりも大きい径を有する形状の脚部端２２を設ける方法がある。シャックル部材２０の脚部２１に脚部端２２を設ける方法は特に限定されない。例えば、溶接により脚部端２２を接合する方法、ネジを用いて脚部端２２を接合する方法が挙げられる。
【００４７】
あるいは、本発明のストラップホルダー１０を製造する方法としては、例えば、シャックル部材２０の２つの脚部をストッパー部材３０の２つの貫通孔にそれぞれ挿通させた状態のシャックル部材２０およびストッパー部材３０の鋳型を用いてシャックル部材２０とストッパー部材３０とを一体成型する方法がある。
【００４８】
図３を参照して、本発明のストラップホルダーにストラップを取り付ける方法を説明する。
【００４９】
図３で例示するストラップホルダーは、図１に示すストラップホルダーである。図１に示すストラップホルダーは、シャックル部材２０のいずれの脚部２１の直径も、その脚部２１が挿通されているストッパー部材３０の貫通孔３１の孔径よりも小さく、その差はストラップ取り付け紐の直径よりも広い。
【００５０】
本発明の方法では、最初に、例えば、図３（ａ）に示すように、シャックル部材２０の少なくとも一方の脚部２１の側面と、その脚部２１が挿通されているストッパー部材３０の貫通孔３１の側面との間に、ストラップ取り付け紐４０のループ４２が挿通され得る間隙を生じさせる。
【００５１】
図３（ａ）に示す工程では、ストッパー部材３０の貫通孔３１の断面を、シャックル部材２０の脚部２１の長手方向と垂直になるようにした状態で、ストッパー部材３０を脚部２１に沿って摺動させて、ストッパー部材３０の位置を脚部端２２から脚部２１の適当な位置（括れがある場合には、括れが好ましい）へ移動させ、次いで貫通孔３１の側面が脚部２１の側面と接するまで、脚部２１の長手方向と垂直な平面上でストッパー部材３０を移動させる。側面同士が接している部位とは反対側の部位において、貫通孔３１の側面と脚部２１の側面との間には、ストラップ取り付け紐４０のループ４２を挿通させるための最大幅の間隙を生じ得る。少なくとも一方のシャックル部材２０の脚部２１の側面と、その脚部２１が挿通されているストッパー部材３０の貫通孔３１の側面との間に、ストラップ取り付け紐４０のループ４２が挿通し得る間隙を生じ得る限り、ストッパー部材３０の摺動時の貫通孔３１の断面と脚部２１の長手方向とを垂直にする必要はなく、貫通孔３１の側面と脚部２１の側面とを接するようにする必要もない。
【００５２】
次いで、例えば、図３（ｂ）に示すように、ストラップ取り付け紐４０のループ４２を、脚部２１の側面と貫通孔３１の側面との間に生じた間隙に、シャックル部材２０の頭部側から脚部端２２側へ挿通させる。
【００５３】
ストラップ取り付け紐４０のループ４２を上記間隙に挿通させる方法は特に限定されない。例えば、手で行う方法、針などの道具を用いる方法が挙げられる。挿通させるループ４２の長さは、次の工程で、シャックル部材２０の脚部端２２を挿通させることができる程度あればよい。ループ４２を上記間隙に挿通させた後は、脚部２１の側面と貫通孔３１の側面との間に生じた間隙をそのまま維持する必要はない。
【００５４】
次いで、例えば、図３（ｃ）に示すように、脚部２１の側面と貫通孔３１の側面との間に生じた間隙に挿通させたループ４２の中にシャックル部材２０の脚部端２２を挿通させる。通常、手を用いて、ループ４２の中にシャックル部材２０の脚部端２２を挿通させる。
【００５５】
最後に、例えば、図３（ｄ）に示すように、シャックル部材２０の脚部端２２を挿通させたループ４２を、脚部２１の側面と貫通孔３１の側面との間からシャックル部材２０の頭部側に向かって引き抜く。
【００５６】
図３（ｃ）の状態で、ストッパー部材３０よりもシャックル部材２０の頭部側にあるストラップ取り付け紐４０の部分（２本）を、通常、手で持ち、シャックル部材２０の頭部側に向かって引っ張る。この際に、ループ４２が、脚部２１の側面と貫通孔３１の側面との間に引っ掛かり得るが、ストッパー部材３０が脚部２１に沿って摺動され得るため、ループ４２が引き抜けなかったり、切れたりすることはない。最終的に、図３（ｄ）のように、ストラップホルダー１０にストラップ取り付け紐４０を取り付けることができる。このようにして、ストラップホルダー１０にストラップを取り付けることができる。
【００５７】
以上、本発明を詳細に説明したが、上記実施態様は例示にすぎず、本発明がこれらの実施態様に限定されないことはいうまでもない。
【００５８】
上記実施態様のストラップ取り付け紐の代わりに、携帯型電子機器を取り付けるための携帯型電子機器取り付け紐を用いることにより、ストラップホルダー１０に携帯型電子機器を取り付けることができる。このようにして、複数のストラップを携帯型電子機器に取り付けることができる。
【００５９】
本発明のストラップホルダーは、非常に単純であるが従来にない形状を有する。本発明のストラップホルダーは、一見すると、ストラップをどのように取り付けてよいのかわからないという不思議な感覚を使用者にもたらし得るが、従来の方法とは全く異なる、より容易な方法によるストラップの取り付けを可能にする。このように、本発明のストラップホルダーは、装飾性および機能性に優れている。
【産業上の利用可能性】
【００６０】
本発明のストラップホルダーは、複数のストラップを容易に取り付けることができる。本発明のストラップホルダーは、非常に単純な形状を有するが、装飾性および機能性に優れる。このため、ストラップホルダーのみでなく、ストラップおよびストラップを取り付ける携帯型電子機器もまた普及がより促進される。
【符号の説明】
【００６１】
１０    ストラップホルダー
２０    シャックル部材
２１    脚部
２２    脚部端
２３    括れ
３０    ストッパー部材
３１    貫通孔
４０    ストラップ取り付け紐
４１    ストラップ取り付け部
４２    ループ
【図１】
2011055871.tif 000003
【図２】
2011055871.tif 000004
【図３】
2011055871.tif 000005